(57)【要約】      （修正有）【課題】雌ハウジングへの雄ハウジングの着脱を容易に行うことができるレバー嵌合式コネクタを提供する。【解決手段】コネクタ１は、レバー５の操作端部５２を、雄ハウジング４の装着方向に操作されると、その方向にレバー５を回動させ、レバー５の先端の収容凹部５１ｃで、雌ハウジング２の係止突起を雄ハウジング４の離脱方向に押圧することで、雄ハウジング４を雌ハウジング２内に押し込む。レバー５は、雄ハウジング４の装着方向への回動限で操作端部５２を先端側に押し込まれると先端側にスライドし、収容凹部５１ｃの内壁を係止突起により雄ハウジング４の装着方向へ押圧されて、回転軸４２ａを支点として雄ハウジング４の離脱方向に操作端部５２側を回動させる。その後、レバー５の回転に従い、収容凹部５１ｃが係止突起により雄ハウジング４の離脱方向に押圧され、雄ハウジング４及びレバー５が離脱方向に移動する。【選択図】図１
2010186628.tif 000002
【特許請求の範囲】
【請求項１】
雄ハウジングの備える支軸に回動自在に支持されたレバーの操作端部を、雌ハウジングへの前記雄ハウジングの装着方向に操作されると、その操作方向に前記レバーを回動させ、前記レバーの前記支軸による支持位置よりも先端側に形成された押圧壁で、前記雌ハウジングを前記雌ハウジングへの前記雄ハウジングの離脱方向に押圧することで、前記雄ハウジングを前記雌ハウジング内に押し込むように構成されたコネクタであって、
前記レバーは、前記操作端部を先端側に押し込まれると、前記雄ハウジングに対して先端側にスライドし、
前記雄ハウジングは、前記雌ハウジングへの前記雄ハウジングの装着方向への回動限で、前記雄ハウジングに対して先端側にスライドする前記レバーを、操作端部が前記雄ハウジングから離間する方向に押圧する押圧部材を備えることを特徴とするコネクタ。
【請求項２】
前記レバーは、前記支軸を挿通孔に挿通されて、前記雄ハウジングの前記雌ハウジングへの挿脱方向に回転自在に支持されており、
前記挿通孔は、前記レバーの先端側から操作端部側にかけて、前記雌ハウジングに対する前記雄ハウジングの離脱方向側に向けて延び、その延伸方向にスライド自在に前記支軸を収容し、
前記押圧壁は、前記レバーの先端側から操作端部側にかけて、前記雌ハウジングに対する前記雄ハウジングの離脱方向に向けて延び、その延伸方向に摺動自在に前記押圧部材を収容する収容凹部の内壁から構成されていることを特徴とする請求項１に記載のコネクタ。
【請求項３】
前記雌ハウジングは、前記雄ハウジングに対する前記雄ハウジングの装着時に、前記雌ハウジングに対する前記雄ハウジングの装着方向で前記レバーの操作端部と対向する位置に、操作者に前記操作端部と共に挟持される第１の指掛部を備えていることを特徴とする請求項１又は２に記載のコネクタ。
【請求項４】
前記雌ハウジングは、前記雌ハウジングに前記雄ハウジングが装着されて、前記レバーが前記雌ハウジングへの前記雄ハウジングの装着方向への回動限に位置した状態において、前記レバーのスライド方向で前記レバーの操作端部と対向する位置に、操作者に前記操作端部と共に挟持される第２の指掛部を備えていることを特徴とする請求項１〜３の何れか１項に記載のコネクタ。
【発明の詳細な説明】
【技術分野】
【０００１】
本発明は、雄ハウジングに回動自在に支持されたレバーの操作で、雄ハウジングを雌ハウジング内に押し込むように構成されたコネクタに関する。
【背景技術】
【０００２】
下記の特許文献１に記載のレバー嵌合式コネクタは、ハウジング部にフード部を備えた雌ハウジングと、フード部に装着される雄ハウジングとを備えている。雄ハウジングは、コネクタ本体にレバーを回転自在に支持して構成されている。レバーの操作部と反対側の端部には突起部が設けられており、フード部の側壁には突起部の係入される切欠部が設けられている。
【０００３】
コネクタ本体をフード部に挿入して操作部を操作すると、レバーが回動してフード部の切欠部に突起部が係入する。その後、操作部の操作に応じてレバーが切欠部によりフード部の奥方に押し出され、コネクタ本体がハウジング部に装着される。
【先行技術文献】
【特許文献】
【０００４】
【特許文献１】特開平１１−３１５５１号公報
【発明の概要】
【発明が解決しようとする課題】
【０００５】
上記従来のコネクタでは、一方の手で雌ハウジングを持ち、他方の手で持った雄ハウジングを雌ハウジングにレバーの操作で押し込み、また、雌ハウジングから雄ハウジングを直接引き抜くことで、雌ハウジングへの雄ハウジングの着脱を行う必要があり、コネクタの着脱作業に手間がかかった。
【０００６】
本発明は斯かる課題に鑑みてなされたもので、上記課題を解決できるコネクタを提供することを目的とする。
【課題を解決するための手段】
【０００７】
このような目的を達成するために、本発明のコネクタは、雄ハウジングの備える支軸に回動自在に支持されたレバーの操作端部を、雌ハウジングへの前記雄ハウジングの装着方向に操作されると、その操作方向に前記レバーを回動させ、前記レバーの前記支軸による支持位置よりも先端側に形成された押圧壁で、前記雌ハウジングを前記雌ハウジングへの前記雄ハウジングの離脱方向に押圧することで、前記雄ハウジングを前記雌ハウジング内に押し込むように構成されたコネクタであって、前記レバーが、前記操作端部を先端側に押し込まれると、前記雄ハウジングに対して先端側にスライドし、前記雄ハウジングが、前記雌ハウジングへの前記雄ハウジングの装着方向への回動限で、前記雄ハウジングに対して先端側にスライドする前記レバーを、操作端部が前記雄ハウジングから離間する方向に押圧する押圧部材を備えることを特徴とする。
また、本発明は、前記レバーが、前記支軸を挿通孔に挿通されて、前記雄ハウジングの前記雌ハウジングへの挿脱方向に回転自在に支持されており、前記挿通孔が、前記レバーの先端側から操作端部側にかけて、前記雌ハウジングに対する前記雄ハウジングの離脱方向側に向けて延び、その延伸方向にスライド自在に前記支軸を収容し、前記押圧壁が、前記レバーの先端側から操作端部側にかけて、前記雌ハウジングに対する前記雄ハウジングの離脱方向に向けて延び、その延伸方向に摺動自在に前記押圧部材を収容する収容凹部の内壁から構成されていることを特徴とする。
また、本発明は、前記雌ハウジングが、前記雄ハウジングに対する前記雄ハウジングの装着時に、前記雌ハウジングに対する前記雄ハウジングの装着方向で前記レバーの操作端部と対向する位置に、操作者に前記操作端部と共に挟持される第１の指掛部を備えていることを特徴とする。
また、本発明は、前記雌ハウジングが、前記雌ハウジングに前記雄ハウジングが装着されて、前記レバーが前記雌ハウジングへの前記雄ハウジングの装着方向への回動限に位置した状態において、前記レバーのスライド方向で前記レバーの操作端部と対向する位置に、操作者に前記操作端部と共に挟持される第２の指掛部を備えていることを特徴とする。
【発明の効果】
【０００８】
本発明によれば、レバーの操作端部をレバーの先端側に押し込むという簡単な操作で、雌ハウジングから雄ハウジングを離脱させられることから、雌ハウジングへの雄ハウジングの着脱を容易に行うことができる。
【図面の簡単な説明】
【０００９】
【図１】本発明の一実施形態のレバー嵌合式コネクタを示す図であり、（ａ）は前方からの斜視図，（ｂ）は平面図である。
【図２】雌ハウジングに雄ハウジングを装着する際の動作を示す図であり、（ａ）は装着前，（ｂ）は装着後を示している。
【図３】雌ハウジングから雄ハウジングを離脱させる際の動作を示す図であり、（ａ）は離脱前，（ｂ）は離脱後を示している。
【発明を実施するための形態】
【００１０】
以下、図面を参照して、本発明の最良の形態を説明する。
図１は、本実施形態のレバー嵌合式コネクタ１を示す図であり、（ａ）は前方からの斜視図，（ｂ）は平面図である。
【００１１】
図１に示すように、レバー嵌合式コネクタ１は、前面に収容室２１を開口させた略四角箱状の雌ハウジング２と、収容室２１に嵌め込まれて雌ハウジング２に装着される雄ハウジング４と、雄ハウジング４を雌ハウジング２に着脱する際に操作されるレバー５とを備えている。収容室２１の上下及び左右の四隅に位置する内側面には、それぞれガイド溝２１ａが設けられている。各ガイド溝２１ａは、収容室２１の前端開口部から収容室２１内に向けて後方に延びている。収容室２１の後方に位置する雌ハウジング２の後端部には、端子収容室が備えられている。雌ハウジング２の右縁部からは、前方に向けて第２指掛部２２が延びている。第２指掛部２２は、矩形の平板状を呈して雌ハウジング２の前方に延びており、先端部を右方に屈曲させて構成された屈曲端２２ａを備えている。屈曲端２２ａは、先端側にかけて徐々に肉薄になるように形成されている。また、図示しないが、収容室２１の右端部に位置する上下の内面には、後述するレバー５の収容凹部５１ｃを係止する係止突起が設けられている。各係止突起は、円柱状を呈して上下方向に延びている。
【００１２】
雌ハウジング２の左縁部からは、左方に向けて第１指掛部２３が延びている。第１指掛部２３は、収容室２１の開口する前端側から後端側にかけて徐々に拡幅して左方への延出量を増大させている。第１指掛部２３の後縁部は、雌ハウジング２の前縁と略平行に左右方向に延びている。
【００１３】
雄ハウジング４は、端子収容室を備えた略四角ブロック状を呈している。雄ハウジング４の後端部の前後及び左右の四隅には、それぞれガイド突起４１が設けられている。各ガイド突起４１は、雄ハウジング４の上面又は下面に形成されており、後縁部から前方に向けて延びている。雄ハウジング４の上面及び下面の左右方向の中央部には、レバー５を支持する回転軸４２ａ及びガイド軸４２ｂがそれぞれ設けられている。回転軸４２ａ及びガイド軸４２ｂは、円柱状を呈して上下方向に延びている。回転軸４２ａ及びガイド軸４２ｂは、雄ハウジング４の上面及び下面の互いに対向する位置に形成されている。また、雄ハウジング４の上面及び下面の後縁部には、後述するレバー５が備える側板５１の後縁部に当接する一対の当接突起４３が、左右に並んで設けられている。
【００１４】
レバー５は、平板状を呈して主面を互いに向き合わせた一対の側板５１と、両側板５１間に掛け渡されて側板５１同士を連結した操作端部５２とを備えている。各側板５１の前縁部からは、隣り合って配置された回転長孔５１ａ及びガイド長孔５１ｂが、後方に向けて延びている。回転長孔５１ａは、側板５１の左右方向の中央部よりも右端側に配置されている。回転長孔５１ａ及びガイド長孔５１ｂは、右端側から左端側にかけてそれぞれ前方に屈曲するように円弧状に延びている。回転長孔５１ａ及びガイド長孔５１ｂは、上下の側板５１の互いに対向する位置に形成されている。また、各側板５１の右縁部には、それぞれ収容凹部５１ｃが設けられている。収容凹部５１ｃは、側板５１の右縁部を凹状に切り欠いた形状を呈しており、側板５１の右縁部から左側にかけて前方に向けて屈曲して延びている。収容凹部５１ｃは、上下の側板５１の互いに対向する位置に形成されている。各側板５１の下縁部の左端部には、それぞれ係合片５１ｄが設けられている。係合片５１ｄは、雌ハウジング２の収容室２１内に設けられた係合突起に係合して、側板５１の前方への回動を規制するためのものであり、係合突起とは左右方向にスライド自在に係合する。操作端部５２は、右端側から左端側にかけて徐々に肉薄になるように形成されており、左端部には指掛凹部５２ａが形成されている。
【００１５】
レバー５は、一対の側板５１で雄ハウジング４を上下の外側から挟み込み、操作端部５２を雄ハウジング４の左前方に位置させて、各側板５１の回転長孔５１ａに回転軸４２ａを、ガイド長孔５１ｂにガイド軸４２ｂをそれぞれ挿通することにより、雄ハウジング４に取り付けられる。雄ハウジング４に取り付けられたレバー５は、回転長孔５１ａ内で回転軸４２ａが、ガイド長孔５１ｂ内でガイド軸４２ｂがそれぞれ摺動することで、図１中時計回り方向及び反時計回り方向に回転するようになっている。
【００１６】
次に、雌ハウジング２に雄ハウジング４を着脱する際のレバー嵌合式コネクタ１の動作を説明する。
図２は、雌ハウジング２に雄ハウジング４を装着する際の動作を示す図であり、（ａ）は装着前，（ｂ）は装着後を示している。また、図３は、雌ハウジング２から雄ハウジング４を離脱させる際の動作を示す図であり、（ａ）は離脱前，（ｂ）は離脱後を示している。
【００１７】
まず、雌ハウジング２に雄ハウジング４を装着する際の動作について説明する。雌ハウジング２に雄ハウジング４を装着する際には、図２（ａ）に示すように、雌ハウジング２が備える収容室２１の前端開口部に雄ハウジング４を後側から挿入する。この際、側板５１の先端側の後端面が雄ハウジング４の右側の当接突起４３に当接するまで、雄ハウジング４に対してレバー５を図２中反時計回り方向側に傾けた状態とする。雄ハウジング４は、ガイド突起４１をガイド溝２１ａにガイドされながら、ガイド溝２１ａ内を後方に移動する。その後、収容室２１内の係止突起（不図示）が各側板５１の収容凹部５１ｃ内に進入すると、収容凹部５１ｃの前側内面が係止突起に当接する。その後、雄ハウジング４が収容室２１内を後方に移動するに従い、レバー５には回転軸４２ａを支点として時計回り方向に回転させる力が作用する。
【００１８】
その後、レバー５が備える操作端部５２の前面と雌ハウジング２が備える第１指掛部２３の後面とに指Ｙ１，Ｙ２を掛けて、両指Ｙ１，Ｙ２で挟み込むように力が加えられると、回転軸４２ａを支点としてレバー５が図中時計回り方向に回転し、収容凹部５１ｃの後側内面が係止突起を前方に押圧する。この反力により、レバー５は、回転長孔５１ａを回転軸４２ａに当接させた雄ハウジング４と共に収容室２１内を後方に進む。これに伴い、雄ハウジング４の右側の当接突起４３からレバー５が備える各側板５１の先端側の後端面が離れていく。その後、図２（ｂ）に示すように、雄ハウジング４の後面が収容室２１の底面に当接して雄ハウジング４が雌ハウジング２に装着されると、レバー５が備える各側板５１の操作端部５２側の後端面が当接突起４３に当接し、レバー５の時計回り方向の回転が規制される。レバー５は、係合片５１ｄが収容室２１内の係合突起（不図示）に係合することで、反時計回り方向への回転も規制される。
【００１９】
次に、雌ハウジング２から雄ハウジング４を離脱させる際のコネクタ１の動作について説明する。雌ハウジング２から雄ハウジング４を離脱させる際には、図３（ａ）に示すように、レバー５が備える操作端部５２の左端面と雌ハウジング２が備える第２指掛部２２の右面とに指Ｙ１，Ｙ２を掛けて、両指Ｙ１，Ｙ２で挟み込むように力を加えられる。これにより、雄ハウジング４の回転軸４２ａが回転長孔５１ａ内を、ガイド軸４２ｂがガイド長孔５１ｂ内をそれぞれ右側に移動し、これに伴い、収容凹部５１ｃの後側内面が収容室２１内の係止突起（不図示）により後方に押圧される。このとき、各側板５１の係合片５１ｄが右方に移動することで収容室２１内の係合突起との係合を解かれ、反時計回り方向へのレバー５の回転が可能となる。
【００２０】
収容凹部５１ｃの後側内面を後方に押圧されると、レバー５は、回転長孔５１ａ内を左側に移動した回転軸４２ａを支点として、反時計回り方向に回転する。回転軸４２ａを支点としてレバー５が反時計回り方向に回転すると、その後は、収容凹部５１ｃの前側内面が収容室２１内の係止突起を後方に押圧し、その反力により、レバー５は、回転長孔５１ａを回転軸４２ａに当接させた雄ハウジング４と共に収容室２１内を前方に進む。図３（ｂ）に示すように、収容凹部５１ｃに対する係止突起の係止が解けるまでレバー５が反時計回り方向に回転すると、雄ハウジング４を収容室２１内から容易に抜き出すことができる状態となり、雄ハウジング４が雌ハウジング２から離脱する。
【００２１】
以上説明したように、本実施形態によれば、雌ハウジング２に雄ハウジング４が装着されて雌ハウジング２に対する雄ハウジング４の装着方向の回動限に位置したレバー５の操作端部５２を、レバー５の先端側に押し込むと、レバー５が先端側にスライドして収容凹部５１ｃの前側内面を収容室２１内の係止突起に押圧され、雌ハウジング２に対する雄ハウジング４の離脱方向に回転軸４２ａを支点としてレバー５が操作端部５２側を回動させ、雄ハウジング４と共にレバー５が雌ハウジング２からの離脱方向に移動する。このため、レバー５の操作端部５２をレバー５の先端側に押し込むという簡単な操作で、雌ハウジング２から雄ハウジング４を離脱させることができる。従って、雄ハウジング４の雌ハウジング２からの離脱を容易に行うことができる。
【００２２】
また、本実施形態によれば、雌ハウジング２に対する雄ハウジング４の装着方向にレバー５の操作端部５２を押し込む操作を、操作端部５２と第１指掛部２３とを挟持して行うことで、雌ハウジング２に対する雄ハウジング４の装着を片手で行うことができる。このため、雄ハウジング４の雌ハウジング２への装着を容易に行うことができる。
【００２３】
また、本実施形態によれば、レバー５の操作端部５２をレバー５の先端側に押し込む操作を、操作端部５２と第２指掛部２２とを挟持して行うことで、雌ハウジング２からの雄ハウジング４の離脱を片手で行うことができる。このため、雄ハウジング４の雌ハウジング２からの離脱を容易に行うことができる。
【００２４】
なお、上記実施形態では、レバー５が側板５１に備える収容凹部５１ｃを雌ハウジング２の係止突起で押圧して、先端側にスライドするレバー５を操作端部５２が雄ハウジング４から離間する方向に押圧した場合について説明した。しかしながら、先端側にスライドするレバー５を、操作端部５２が雄ハウジング４から離間する方向に押圧部材で押圧する構成は任意である。例えば、雌ハウジング２に設けられた押圧部材により、レバー５の側板５１の後縁部や、ガイド長孔５１ｂの前側内面を押圧することで、先端側にスライドするレバー５を、操作端部５２が雄ハウジング４から離間する方向に押圧部材で押圧してもよい。
【００２５】
また、操作端部５２を先端側に押し込まれると雄ハウジング４に対して先端側にスライドするようにレバー５を雄ハウジング４に支持するための構成は任意であり、例えば、回転長孔５１ａ及びガイド長孔５１ｂに代えて、側板５１の内面に凹部を設け、この凹部に回転軸４２ａ及びガイド軸４２ｂを収容してもよい。
【符号の説明】
【００２６】
１      レバー嵌合式コネクタ
２      雌ハウジング
２１    収容室
２１ａ  ガイド溝
２２    第２指掛部
２３    第１指掛部
４      雄ハウジング
４２ａ  回転軸
４２ｂ  ガイド軸
５      レバー
５１    側板
５１ａ  回転長孔
５１ｂ  ガイド長孔
５１ｃ  押圧部
５２    操作端部
【図１】
2010186628.tif 000003
【図２】
2010186628.tif 000004
【図３】
2010186628.tif 000005